(57)【要約】活性化装置（１）は、互いに標準電極電位の異なる２種類以上の金属または金属を主として含む素材が互いに積層して電荷を生じ、この積層している金属または素材間の電位差により電磁波を発生することを特徴とし、例えばチタンを外層の金属板（４）、銅を内層の金属板（５）とした２層構造をなす積層体（１Ｂ）が管状に形成されたものとして、それぞれ２つの雨樋状に分割され接合部のフランジ（４ａ），（５ａ）を具えて外層の金属板（４）と内層の金属板（５）とが所定の空間を有した二層構造を作るように燃料輸送管（１ｂ）の周囲を囲んで複数のボルト・ナット（６）で固定されるものとして、新たなエネルギー源を必要としないとともに容易に取り付けられる簡易な装置で効率的に燃料を活性化させて燃費を改善させる。
2004022222.tif 000002
【特許請求の範囲】
【請求項１】
互いに標準電極電位の異なる、２種類以上の金属または金属を主として含む素材が互いに積層して電荷を生じ、前記積層している金属または素材間の電位差により電磁波を発生することを特徴とする活性化装置。
【請求項２】
前記２種類以上の金属のうち、少なくとも１つの金属が粒状である請求の範囲１に記載の活性化装置。
【請求項３】
前記２種類以上の金属の間に、鉱石またはセラミックス、または鉱石・セラミックス・金属のスラッジのうち少なくとも１つが挟まっている請求の範囲１に記載の活性化装置。
【請求項４】
前記２種類以上の金属の間に、鉱石またはセラミックス、または鉱石・セラミックス・金属のスラッジのうち少なくとも１つが挟まっている請求の範囲２に記載の活性化装置。
【請求項５】
前記積層体が板状または帯状またはシート状である請求の範囲１，２，３または４に記載の活性化装置。
【請求項６】
前記積層体がアーチ状または管状である請求の範囲１，２，３または４に記載の活性化装置。
【請求項７】
前記積層体の少なくとも一方の面に電磁波を反射する反射体を設け、発生する電磁波を中心に集中させた、請求の範囲１，２，３，４に記載の活性化装置。
【請求項８】
前記積層体の少なくとも一方の面に電磁波を反射する反射体を設け、発生する電磁波を中心に集中させた、請求の範囲５に記載の活性化装置。
【請求項９】
前記積層体の少なくとも一方の面に電磁波を反射する反射体を設け、発生する電磁波を中心に集中させた、請求の範囲６に記載の活性化装置。
【発明の詳細な説明】
【技術分野】  本発明は、水・油（ガソリン等の揮発油を含む）等の液体、空気・ガス等の気体、食料品等の固体、人体等の混合体等の物体の活性化により、これらの機能を高める活性化装置に関する。
【背景技術】  従来より、磁場や電荷を水や燃料などの流体に作用させ、これらの分子のクラスターを分解して微細化してその反応性を高めようとしたり、流体分子をイオン化したりしてこれを改質しようとする技術が実用化されている。例えば、特開平７−２５８６５７号広報には、所定の厚さを持つ複数個の磁性体を、互いに磁性が反発する向きに連続して配置することにより所定の磁界を発生させ、これを燃料タンクに配置して、これにより発生する磁場により燃料の炭化水素分子同士を結びつきにくくして、燃焼効率を改善するという技術が開示されている。また、斯かる磁性体の間に配置されたセラミックスの遠赤外線効果により、燃料中の水分子も微細化され、噴霧時の気化がさらに良好になる効果も有している。一方、特開平５−５００６７号広報には、給水システム等の液体が通過する液体輸送路において、異なる電気化学ポテンシャルを有する正極と負極とを相互に分離配置し、さらに第３の電極を設けてこれから金属イオンを液体中に溶出させることにより、斯かる液体を改質して酸化鉄スケール等の垢成分を取り除く技術が開示されている。さらに、最近においては、水の流れを挟むように配置された磁場を有する磁性体により、磁場と直角方向に通る物体による起電力エネルギー（ファラデー電磁誘導の法則）を利用して、水に含まれる金属イオン等に電荷を与えるとともに、水分子を整えてこれを改質するという活水器が多数販売されている。
これらの技術は、物体の流動による運動エネルギーや、磁性体の極性または磁場を利用したり、遠赤外線発生物質による遠赤外線効果を利用して、流体をイオン化したり流体の分子を整えたりして、その改質をはかるものである。しかしながら、給油管を流れる燃料等は流速が極めて遅いため、これによるエネルギーは極めて小さいものであり、また、磁性体による磁界の強さも微弱である。そのため、強い磁界を得るためには外から与える電力を必要としたり、磁石を大きく強力にしたりすることが必要であった。そのため、構成が複雑となったり、大きさや重量が過大となり、既存のシステムに装着しにくくなったり、装着のためにその稼働を停止する必要が生じたりして、実用性が低く普及しにくかった。
一方、所定の磁力線を発生する磁石を、皮膚に貼付したり、ネックレスやブレスレット等の装飾品に用いたりすることにより、磁力線効果で血行を改善して疲労を回復させようとする製品も販売されている。また、プラスの電位を有する金属と、マイナスの電位を有する金属とを並べて外周面を形成した貴金属ピースを数珠繋ぎにしたマイナスイオン発生アクセサリーが、特開２００１−２１８８５３号広報に開示されている。これは人間の活動により生じた静電気や日光による紫外線等のエネルギーを利用して、異なる電位を持つ金属の組み合わせにおいて電荷を生じさせ、これにより発生させたマイナスイオンで、血液をアルカリ化させること等により、血行改善効果やリラックス効果を期待するものである。斯かる技術は、異なる電位を持つ複数の金属の組み合わせによる構成として、エネルギーを外から取り入れて利用する点で優れた技術である。
しかしながら、これらの磁性体や極性物質は一つの単位が小さくて、外からのエネルギーを取り入れる部分の表面積が小さいため、発生する磁場やマイナスイオン量も小さく、血液の十分な改質は難しかった。
【発明の開示】
本発明の目的は、上記のような問題を解決しようとするものであり、新たなエネルギー源を必要としないとともに各システムの稼働を妨げずに容易に取り付けられるような簡易な装置により、効率的に物体を活性化させることにある。例えば燃料においては燃費の改善、水においては水道管を汚さずしかも身体に吸収しやすくし、油においては酸化を防止し、血液においては粘度を下げて循環を良くし、空気においてはそのマイナスイオン化等をはかることにある。
本発明によれば、互いに標準電極電位の異なる、２種類以上の金属または金属を主として含む素材が互いに積層して電荷を生じ、これにより前記積層している金属または素材間の電位差により電磁波を発生することを特徴とする活性化装置とした。これにより、軽量かつ簡易な構成であっても取り入れるエネルギーは大きく、大きな電位差及び強力な磁場を発生するとともに、イオンを発生させて物体を効率的に活性化することができる。ここで、本発明において前記金属を主として含む素材には、有機または無機金属化合物及び金属を主とした混合物を含むものとする。
好ましい実施の形態では、前述した２種類以上の金属のうち、少なくとも１つの金属を粒状のものとする。これにより、前述した効果が顕著となる。尚、本発明において、積層とは互いに密着した状態のみならず間に隙間を設けた場合も含むものとし、斯かる粒状の金属は布または糸、紙、プラスティック等に塗布または練り込み・擦り込みまたは織り込んだ状態で、積層させることができる。
また、その２種類以上の金属の間に、鉱石またはセラミックス、またはこれらのスラッジまたは金属スラッジのうちの少なくとも１つを挟んだものとすれば、金属相互を電気的に分離または干渉させて、発生する磁場を調整するとともに、遠赤外線効果を強化した活性化装置となり、上記磁場による磁力線効果の効率化が期待できるとともに、遠赤外線効果による物体の活性化も期待できる。
さらに、前述した積層体を板状または帯状またはシート状のものとすれば、エネルギー取り入れ面積を広げるとともに、作用面積を広げることができる。さらにまた、その積層体をアーチ状のものとすれば、これに囲まれた部分に前記磁力線効果・遠赤外線効果等を集中することができ、その積層体を管状のものとすれば、さらに前記効果をその中心部に集中することができるとともに、活性化装置をコンパクトでしかも管体の曲面に装着容易となる。尚、管状体には小径のパイプ及びビーズも含まれるが、これらにおいては、糸等で連結しやすいとともに、目的物に装着しやすくなり、さらに連結状態で円形にすればその中央部に前記効果を集中することもできる。加えて、その積層体の一方の面に、電磁波を反射する反射体を設け発生する電磁波を一方または一点に集中させるものとすれば、より効率的に流体を活性化することができる。
【図面の簡単な説明】  図１は、本発明による活性化装置を示す正面図および断面図である。
図２は、本発明による異なる活性化装置を示す正面図および断面図である。
図３は、本発明によるさらに異なる活性化装置を示す正面図および断面図である。
【発明を実施するための最良の形態】  以下、本発明を実施するための最良の形態を、図面を用いて詳細に説明する。尚、異なる実施の形態であっても、同じ構成要素には同一の符号を付して説明する。
図１は、本発明を実施するための最良の形態である、活性化装置１を示すものであり、燃料タンクから発動機を結ぶ燃料輸送管１ｂの周囲に取り付けた、燃料活性化装置の一例を示している。図１のＡは正面図であり、ＢはＸ−Ｘ線断面図である。斯かる活性化装置１は、電位の異なる２種類の金属板を二層構造にした積層体１Ｂを管状にして構成されている。例えば外層の金属板４を高いマイナス電位を持つチタンにし、内層の金属板５を低いマイナス電位を持つ銅にして電位差を設けるようにする。これらは、それぞれ２つの雨樋状に分割され、接合部のフランジ４ａ，５ａを有し、外層の金属板４と内層の金属板５は所定の空間を有した二層構造を作るように、燃料輸送管１ｂの周囲を囲んで複数のボルト・ナット６で固定される。尚、金属板４と金属板５は接触して設けてもよい。尚、斯かる金属の組み合わせは、所望する電位差を発揮するものであれば他の組み合わせでもよく、さらに３種以上の組み合わせでもよい。例えばマイナス電位の高い金属として、Ａｕ，Ｐｔがあり、マイナス電位の低い（プラス電位）金属として、Ｚｒ，Ａｌなどがある。またこれらの酸化物や炭化物、粉末を混練した樹脂板なども使用できる。そしてこれらの組み合わせ方次第で、極性の方向を自在に設定して流体のマイナスイオン化のみならずプラスイオン化して分子を凝集させ、大分子化させることも可能である。
本実施の形態は、以上のような構成であり、電位差のある２種類の金属の二層構造による管構造とし、その中を通る燃料輸送管１ｂ中に磁場が発生し、燃料がここを通ると、磁場の作用により燃料中の炭化水素分子のクラスターが小さくなり、さらに燃料をイオン化して極性の向きを一定化することができる。これにより、燃料が気化しやすく燃焼しやすくなり、燃焼効率が向上する。尚、斯かる２種類の金属板の間の空間に遠赤外線効果のあるセラミックス等を挟み込めば、上記効果に加え、遠赤外線効果により燃料分子とこれに含まれる水分子とがさらに小さく分割されやすくなり、一層燃焼効率が向上する。また、上記燃料のマイナスイオン化のためのエネルギーは、燃料の移動によるエネルギーだけではなく、比較的表面積の大きな板状体からなる本活性化装置１が受ける電磁波（太陽由来の電磁波や宇宙線等の宇宙由来の電磁波を含む）が大きいと考えられる。
図２は、本発明を実施するための好ましい実施の形態を示すものであり、食用油の保存缶の周囲に取り付ける、油の酸化防止を目的とした活性化装置２を示している。図２のＡは正面図であり、ＢはＹ−Ｙ線断面図である。本実施の形態も、図１の物体活性化装置１と同様に複数のボルト・ナット６で取り付け可能であるが、例えば外径６００ｍｍの缶に用いる場合、積層体２Ｂをこれに取り付け可能な６００ｍｍ以上の内径を与えて筒状にする。例えば図１と同様、外層の金属板をチタンとした金属板４ｂ、内層の金属板を銅とした金属板５ｂとして、その積層構造により、上記同様、炭化水素分子のクラスターが小型化されるとともに、活性化装置２による電位差により食用油がマイナスイオン化され、酸化して劣化した食用油を改質して粘度を下げたり、酸化しにくくしたりする。尚、斯かる活性化装置２の金属の構成を変えてプラス電位を発生させて、油分子を凝集させることもできる。また、この応用例として、電位の調整により、流体中に配置した食材を固くしたり、酸化を促進して熟成させたりして風味を調整することもできる。さらに、活性化装置２を所定サイズのリング形状として、ブレスレットや指輪、またはネックレスやアンクレットにすれば上記の磁力線効果による血流の改善効果やマイナスイオンによるリラックス効果を発揮させることもできる。尚、これらの装具は人間用のみならずペット用の首輸等でも同様である。
図３は、本発明を実施するための異なる好ましい実施の形態を示すものであり、図１の活性化装置１とは異なり、チタン粉末を練り込んだ樹脂板４ｃと、銅粉末を練り込んだ樹脂板５ｃを密着して積層した板状体３Ｂを有する、活性化装置３を示している。図Ａは正面図であり、図ＢはＺ−Ｚ線断面図である。また、活性化装置３は、活性化装置１，２とはその構成が異なり、平面的なアーチ状とした積層体３Ｂが、枕カバー部７の頭部が当たる部分を囲むように配置された構成である。尚、斯かる樹脂板４ｃ，５ｃは導電性を有するものとする。斯かる活性化装置３は上述の積層体と異なり、金属を粉体として柔らかい樹脂の中に練り込んで成る樹脂板を重ねて積層体３Ｂを形成しているため、使用中に頭に不快感を与えないものであり、これを、枕の頭が当たる部分を囲むように装着することにより、睡眠中にマイナスイオンを発生してリラックス効果が期待できるとともに、斯かるアーチの内側に集中して発生する磁場により頭部の血行が改善され、疲労回復効果も期待できる。尚、上記樹脂板の代わりにシート状にした金属を柔軟な樹脂板に貼り付けても同様な効果を得ることができる。
本発明の活性化装置を装着して車両の燃料消費量の改善効果を検証した実施例を挙げて本発明をさらに詳細に説明する。
装着したのは、上述の活性化装置１と同様の燃料活性化装置であって、それぞれ乗用車用には１ｍｍ，トラック用には２ｍｍの厚さのチタンと銅の金属板を用い、大きさはエンジンの大きさと燃料輸送管のサイズに合わせて調整した。そして、４ｔ及び１０ｔのディーゼルトラックと１８００ｃｃガソリンエンジン乗用車にこれを装着した場合の２ヶ月間の平均燃費と、装着しない２ヶ月間の平均燃費を調査して比較した。
結果としては、装着した車両において装着しない同一車両に対し、１０％〜３５％、平均で約１５％の燃費削減が認められた。加えて、排気ガスの減少・ディーゼル車の黒煙の減少も確認できた。尚、本発明を実施するための最良の構成は以上の記載で開示されているが、本発明はこれに限定されるものではない。
以上の説明から分かるように、本発明である活性化装置により、新たなエネルギー源を必要としないで、軽量かつ簡易な構成で、水・油・空気等の物体、さらには人体を効率的に活性化することができる。
【図１】
2004022222.tif 000003
【図２】
2004022222.tif 000004
【図３】
2004022222.tif 000005
【国際調査報告】
2004022222.tif 000006
2004022222.tif 000007